(57)【要約】【課題】高強度の鋼板であってもトリム屑がスクラップシューターの傾斜面に溜まることを抑制して、トリム屑を安定的に巻き取り部へ供給することができるトリム屑処理設備を提供する。【解決手段】鋼板のサイドトリミングを行うトリマー設備において発生するトリム屑２１をスクラップとして処理するトリム屑処理設備１０であって、トリマー設備から離れた位置に設けられた、トリム屑２１を巻き取る巻き取り部３０と、トリマー設備からのトリム屑２１を受けて巻き取り部３０へ案内するための傾斜面２２を有するスクラップシューター２０とを具備し、スクラップシューター２０は、傾斜面２２のトリム屑の着地領域２３における平均的な傾斜角度が４０°以上である。【選択図】  図２
2015147266.tif 000002
【特許請求の範囲】
【請求項１】
鋼板のサイドトリミングを行うトリマー設備において発生するトリム屑をスクラップとして処理するトリム屑処理設備であって、
トリマー設備から離れた位置に設けられた、トリム屑を巻き取る巻き取り部と、前記トリマー設備からの前記トリム屑を受けて巻き取り部へ案内するための傾斜面を有するスクラップシューターと
を具備し、
前記スクラップシューターは、前記傾斜面の前記トリム屑の着地領域における平均的な傾斜角度が４０°以上であることを特徴とするトリム屑処理設備。
【請求項２】
前記着地領域における平均的な傾斜角度は、前記着地領域の中心における傾斜角度であることを特徴とする請求項１に記載のトリム屑処理設備。
【請求項３】
前記傾斜面は、湾曲状をなしていることを特徴とする請求項１または請求項２に記載のトリム屑処理設備。
【発明の詳細な説明】
【技術分野】
【０００１】
本発明は、鋼板のサイドトリミングを行うトリマー設備において発生するトリム屑をスクラップとして処理するトリム屑処理設備に関する。
【背景技術】
【０００２】
従来から、トリマー設備（サイドトリマー）により鋼材をサイドトリミングする際に発生するトリム屑をスクラップとして処理するトリム屑処理設備としては、トリム屑（耳屑ともいう）を巻き取るスクラップボーラーと称される装置を用いたものが一般的に用いられている。
【０００３】
スクラップボーラーに関する技術としては、トリミングした耳屑を滑り傾斜面に供給し、滑り傾斜面上を滑りくる耳屑を掴み装置で掴んでマンドレルに自動的に巻き付ける技術が知られている（例えば特許文献１）。
【０００４】
このような滑り傾斜面上にトリム屑を供給する方式は、スクラップボーラーがサイドトリマーから離れた位置に設けられた場合に採用されている。このような方式の実設備においては、サイドトリマーの下方に平面形状の傾斜面を有するスクラップシューターが設けられ、スクラップシューターの先にマンドレルや掴み装置であるクリッパーを有するスクラップボーラーが配置されている。そしてスクラップシューターの傾斜面を滑って巻き取り部に達したトリム屑をクリッパーで掴んで回転するマンドレルに巻き付けている。
【０００５】
また、トリミングにより発生したトリム屑を、垂直型のスクラップシューターを介して直下に設けられたスクラップボーラーに押し込んで巻き取るトリム屑処理設備も一部用いられている。
【０００６】
上記技術のうち、垂直型のスクラップシューターを用いたものについては、設備スペースが大きく必要であり、また、既存設備を更新する必要がある場合が多い。そのため、現状、滑り傾斜面を有するスクラップシューターを用いたトリム屑処理設備が有利である。
【先行技術文献】
【特許文献】
【０００７】
【特許文献１】特開昭５９−１１０５１３号公報
【発明の概要】
【発明が解決しようとする課題】
【０００８】
しかしながら、滑り傾斜面を有するスクラップシューターを用いたトリム屑処理設備において、例えば高張力鋼等の強度が高い鋼板をトリミングする際には、トリム屑がスクラップシューターの傾斜面に達すると、トリム屑がその位置の近傍に溜まってしまう場合がある。この場合には、トリム屑が巻き取り部に供給されるのは、サイドトリマー直下で大量に堆積し自重が大きくなってからであり、一時に大量のトリム屑が巻き取り部に到達し、巻き取りのためのモーターに過負荷がかかる等により巻き取り不良が発生してしまう。
【０００９】
本発明はかかる事情に鑑みてなされたものであって、高強度の鋼板であってもトリム屑がスクラップシューターの傾斜面に溜まることを抑制して、トリム屑を安定的に巻き取り部へ供給することができるトリム屑処理設備を提供することを課題とする。
【課題を解決するための手段】
【００１０】
本発明者らは、上記課題を解決するため検討を重ねた結果、トリム屑が溜まることを軽減するためには、スクラップシューターの傾斜面における、トリム屑が到達する領域の傾斜角度が重要であることを見出した。
【００１１】
すなわち、傾斜面を有するスクラップシューターを用いたトリム屑処理設備が実機として導入された当初においては、トリミングを行う鋼板としては軟鋼が主であり、スクラップシューターの傾斜角度が小さくてもトリム屑を巻き取り部に安定して供給することができていたため、スクラップシューターの傾斜角度について考慮していなかったが、トリミングする鋼板が強度の高い高張力鋼になると、トリマー設備直下にトリム屑が溜まることが判明した。その問題を解決するために検討した結果、スクラップシューターの傾斜面における、トリム屑が着地する領域の傾斜角度が重要であり、そのトリム屑が到達する領域の平均的な傾斜角度が４０°以上であれば、高張力鋼であってもトリム屑を巻き取り部に安定供給可能なことを見出した。
【００１２】
本発明は以上の点に基づいて完成されたものであり、以下の（１）〜（３）を提供する。
（１）鋼板のサイドトリミングを行うトリマー設備において発生するトリム屑をスクラップとして処理するトリム屑処理設備であって、
トリマー設備から離れた位置に設けられた、トリム屑を巻き取る巻き取り部と、前記トリマー設備からの前記トリム屑を受けて巻き取り部へ案内するための傾斜面を有するスクラップシューターと
を具備し、
前記スクラップシューターは、前記傾斜面の前記トリム屑の着地領域における平均的な傾斜角度が４０°以上であることを特徴とするトリム屑処理設備。
（２）前記着地領域における平均的な傾斜角度は、前記着地領域の中心における傾斜角度であることを特徴とする（１）に記載のトリム屑処理設備。
（３）前記傾斜面は、湾曲状をなしていることを特徴とする（１）または（２）に記載のトリム屑処理設備。
【発明の効果】
【００１３】
本発明によれば、スクラップシューターの傾斜面におけるトリム屑の着地領域における平均的な傾斜角度が４０°以上になっているので、強度が５９０ＭＰａ以上の高張力鋼であっても着地領域に達したトリム屑が自重によって潰れやすくなり、傾斜面におけるトリマー設備の直下位置でトリム屑が堆積することが抑制され、巻き取り部に一度に大量にトリム屑が供給されることを生じ難くすることができる。
【図面の簡単な説明】
【００１４】
【図１】本発明の一実施形態に係るトリム屑処理設備を示す平面図である。
【図２】本発明の一実施形態に係るトリム屑処理設備を示す側面図である。
【図３】従来設備における、高強度鋼板のトリム屑のスクラップシューター上での状態を説明するための図である。
【図４】本発明の一実施形態に係るトリム屑処理設備における、高強度鋼板のトリム屑のスクラップシューター上での状態を説明するための図である。
【図５】本発明の実施例の結果を示す図である。
【発明を実施するための形態】
【００１５】
以下、添付図面を参照して本発明の実施の形態について説明する。
図１は本発明の一実施形態に係るトリム屑処理設備を示す平面図、図２はその側面図である。
【００１６】
本実施形態のトリム屑処理設備１０は、鋼板４１のトリマー設備４２においてサイドトリマーでカット（耳切り）した後の細長い形状のトリム屑２１をスクラップとして処理するものであり、トリマー設備４２から離れた位置に設けられた、トリム屑２１を巻き取る巻き取り部（スクラップボーラー）３０と、トリマー設備４２からのトリム屑２１を受けて巻き取り部３０へ案内するための傾斜面２２を有するスクラップシューター２０とを具備する。
【００１７】
巻き取り部３０は、トリム屑２１を巻き取るマンドレル３１とマンドレルを回転させるモーター３２と、トリム屑２１を掴むクリッパー３３とを有する。３４はマンドレル３１が進出して嵌め込まれる先端軸である。
【００１８】
スクラップシューター２０においては、トリム屑２１が傾斜面２２に着地した後、後から供給されるトリム屑により潰されて傾斜面２２を滑り落ちて行く。傾斜面２２は湾曲しており最も上の部分の傾斜角度が大きく、下方にいくに従って傾斜角度が緩やかになっている。傾斜面２２において、トリム屑２１が着地する領域はほぼ決まっており、本実施形態ではその着地領域２３における平均的な傾斜角度、典型的には着地領域２３の中心Ｏにおける傾斜角度θが４０°以上となっている。
【００１９】
従来、スクラップシューターの傾斜面は平面状であり、その傾斜角度は軟鋼に適合したもので、２６．５°程度であり、底面は水平面であった。軟鋼の場合は、このような傾斜面であっても支障なくトリム屑を巻き取り部に供給することができていた。しかし、引張強度が５９０ＭＰａ以上の高張力鋼になると、トリム屑が曲がりにくくなり、傾斜角度が２６．５°ではトリム屑が潰れず、図３に示すように、トリマー設備（サイドトリマー）直下にトリム屑がたまりやすくなる。そのため、トリム屑が巻き付け部側へ流れ出すのは、トリマー設備（サイドトリマー）直下で大量に堆積し自重が大きくなってからであり、巻き取り部ではトリム屑は一度に大量に巻き取られる。このため、巻き取り部のモーターの過負荷等の巻き取り不良を引き起こし、安定操業を阻害する。
【００２０】
これに対して、本実施形態では、傾斜面２２におけるトリム屑２１の着地領域２３における平均的な傾斜角度、典型的には着地領域２３の中心Ｏにおける傾斜角度θが４０°以上となっているので、強度が５９０ＭＰａ以上の高張力鋼であっても傾斜面２２の着地領域２３に達したトリム屑２１が自重によって潰れやすくなり、図４に示すように、傾斜面２２におけるトリマー設備４２の直下位置でトリム屑２１が堆積することが抑制され、巻き取り部３０に一度に大量にトリム屑が供給されることを生じ難くすることができる。また、傾斜面２２をこのように湾曲形状とすることにより、着地領域の傾斜角度４０°以上を確保しやすくなり、かつトリム屑２１を巻き取り部３０へ送りやすくなる。
【００２１】
このため、トリム屑２１を安定的に巻き取り部３０へ送ることができ、巻き取り部３０において、一度に大量のトリム屑を巻き取ることによるモーター過負荷等の巻き取り不良を抑制することができ、安定生産が可能となる。
【００２２】
なお、傾斜面２２は、着地領域の平均的な傾斜角度を４０°以上にすることができれば、必ずしも湾曲している必要はない。
【実施例】
【００２３】
以下、本発明の実施例について説明する。
ここでは、スクラップシューターとして、傾斜面が平面状で傾斜角度が２６．５°の従来のものを用いたトリム屑処理設備と、傾斜面が湾曲状でトリム屑の着地領域の中心の傾斜角度が４１°の本実施形態のものを用いたトリム屑処理設備により、軟鋼（強度４４０ＭＰａ）の鋼板および高張力鋼（強度５９０ＭＰａ）の鋼板のトリム屑を処理した。その際の巻き取り部におけるモーターの過負荷の状況を調査した。その結果を図５に示す。図５の縦軸はモーター過負荷の発生頻度を任意単位で表示したものである。
【００２４】
図５に示すように、軟鋼の場合は、傾斜角度が２６．５°でもモーター過負荷の発生頻度は非常に少なかったが、高張力鋼の場合は、傾斜角度が２６．５°では、モーター過負荷の発生頻度が軟鋼の場合の５倍となった。これに対して傾斜面が湾曲状でトリム屑の着地領域の中心の傾斜角度が４１°の場合には、高張力鋼であってもモーター過負荷の発生頻度は非常に低いものであった。
【符号の説明】
【００２５】
１０  トリム屑処理設備
２０  スクラップシューター
２１  トリム屑
２２  傾斜面
２３  着地領域
３０  巻き取り部
３１  マンドレル
３２  モーター
３３  クリッパー（掴み部）
３４  先端軸
４１  鋼板
４２  トリマー設備（サイドトリマー）
【図１】
2015147266.tif 000003
【図２】
2015147266.tif 000004
【図３】
2015147266.tif 000005
【図４】
2015147266.tif 000006
【図５】
2015147266.tif 000007